(57)【要約】【課題】  外壁構造における壁間の少ないスペースや屋外側にも設置することができるとともに、外部から侵入してくる音の空気振動を、回折緩衝を巧みに利用することにより減衰せしめて確実に消音することができ、しかも、安価かつ軽量で製造も容易な音波の回折緩衝を利用した消音換気部材を提供すること。【解決手段】  第一端部13ａから第二端部13ｂに連通しており、かつ、少なくとも１カ所の屈曲部Ｃを有するエァパッセージＰが複数形成された通気ケース１と、第一端部13ａおよび第二端部13ｂの各々に対し、一方側の通気口21ａと他方側の通気口21ｂとが通気ケース１の中の複数のエァパッセージＰを介し相互に連通された１対の換気端部２・２とから構成され、これら換気端部２・２における一対の通気口21ａ・21ｂとの間における内外の空気通流を自由にすると共に、屋外の騒音はエァパッセージＰの屈曲部Ｃで回折減衰されて消音可能にする。【選択図】  図２
2006200882.tif 000002
【特許請求の範囲】
【請求項１】
建造物の外壁部に配設することによって、屋内から屋外へ換気可能な中空体であって、
第一端部13ａから第二端部13ｂに連通しており、かつ、少なくとも１カ所の屈曲部Ｃを有するエァパッセージＰが複数形成された通気ケース１と、
この通気ケース１の第一端部13ａおよび第二端部13ｂの各々に対し、一方側の通気口21ａと他方側の通気口21ｂとが通気ケース１の中の複数のエァパッセージＰを介し相互に連通された１対の換気端部２・２とから構成されており、
これら換気端部２・２における一対の通気口21ａ・21ｂとの間における内外の空気通流は自由であると共に、屋外の騒音はエァパッセージＰの屈曲部Ｃで回折減衰されて消音可能であることを特徴とする音波の回折緩衝を利用した消音換気部材。
【請求項２】
建造物の外壁構造に組み込むことによって、屋内と屋外とを連通換気せしめるダクトであって、
上端部13ａから下端部13ｂに連通しており、かつ、少なくとも１カ所の屈曲部Ｃを有するエァパッセージＰが複数形成された通気ケース１と、
この通気ケース１の上端部13ａおよび下端部13ｂの各々に対し、通気口21が互いに反対方向を向くように配設されて上側の通気口21ａと下側の通気口21ｂとが通気ケース１の中の複数のエァパッセージＰを介し相互に連通された１対の換気端部２・２とから構成されており、
これら換気端部２・２における上下の通気口21ａ・21ｂとの間における内外の空気通流は自由であると共に、屋外の騒音はエァパッセージＰの屈曲部Ｃで回折減衰されて消音可能であることを特徴とする請求項１記載の音波の回折緩衝を利用した消音換気部材。
【請求項３】
通気ケース１が、一方側の板面に当該板面の上辺13ａ′から下辺13ｂ′に向けて隔壁リブ15が並列的に列設され、かつ、これら各々の隔壁リブ15には上辺13ａ′から下辺13ｂ′に至る行程中には少なくとも１カ所の屈曲部Ｃ′が形成された板体11と、
この板体11の隔壁リブ側に対設面合されて当該板体との間に隔壁リブ15によって区分された複数のエァパッセージＰを形成せる蓋板12とによって形成されていることを特徴とする請求項１または２記載の音波の回折緩衝を利用した消音換気部材。
【請求項４】
通気ケース１が左右一対の契合ケース片１ａ・１ｂとから構成されており、当該ケース１における各々のエァパッセージＰは前記左右の契合ケース片１ａ・１ｂが突合わせ状態に連結された側辺部14ａ・14ｂを介して連通されていることを特徴とする請求項１〜３の何れか一つに記載の音波の回折緩衝を利用した消音換気部材。
【請求項５】
左右１対の契合ケース片１ａ・１ｂが、一方面の上辺13ａ′から側辺部14ａ′に向けて屈曲する隔壁リブ15が並列的に列設されている板体片11ａと、これと同時面の側辺部14ｂ′から下辺13ｂ′に向けて屈曲する隔壁リブ15が並列的に列設されている板体片11ｂと、これらの板体片11ａ・11ｂの隔壁リブ側に対設面合されて当該板体との間に隔壁リブ15で区分された複数のエァパッセージＰを形成している蓋板12とによって構成されていることを特徴とする請求項４記載の音波の回折緩衝を利用した消音換気部材。
【請求項６】
通気ケース１と換気端部２・２とが一体成形されていることを特徴とする請求項１〜５の何れか一つに記載の音波の回折緩衝を利用した消音換気部材。
【請求項７】
換気端部２・２が１対のキャップ部材２ａ・２ｂとして構成されており、通気ケース１の上端開口部13ａおよび下端開口部13ｂの各々に対し、通気口21が互いに反対方向を向くように嵌着されて上側の通気口21ａと下側の通気口21ｂとが通気ケース１の中の複数のエァパッセージＰを介し相互に連通されて構成されていることを特徴とする請求項１〜５の何れか一つに記載の音波の回折緩衝を利用した消音換気部材。
【請求項８】
通気ケース１および換気端部２とが合成樹脂製であることを特徴とする請求項１〜７の何れか一つに記載の音波の回折緩衝を利用した消音換気部材。
【請求項９】
エァパッセージＰを区分する隔壁リブ15が、中空ブロー成形により両壁面から凹設される凹み溝15ａ同士が対面合接されて形成された合成樹脂製の通気ケース１と、この通気ケース１の上端部13ａおよび下端部13ｂの各々に対し、通気口21が互いに反対方向を向くように上側の通気口21ａと下側の通気口21ｂとが通気ケース１の中の複数のエァパッセージＰを介し相互に連通された１対の換気端部２・２とが一体に構成されていることを特徴とする請求項１または２記載の音波の回折緩衝を利用した消音換気部材。
【請求項１０】
建造物の外壁構造における屋外側に設置することによって、屋内から屋外へ換気可能な中空ボックス体であって、
上端部13ａから下端部13ｂに連通しており、かつ、少なくとも１カ所の屈曲部Ｃを有するエァパッセージＰが複数形成された通気ケース１と、
この通気ケース１の上端部13ａおよび下端部13ｂの各々に対し、通気口21が配設されて上側の通気口21ａと下側の通気口21ｂとが通気ケース１の中の複数のエァパッセージＰを介し相互に連通された１対の換気端部２・２とから構成されており、
これら換気端部２・２における上下の通気口21ａ・21ｂとの間における内外の空気通流は自由であると共に、屋外の騒音はエァパッセージＰの屈曲部Ｃで回折減衰されて消音可能であることを特徴とする請求項１記載の音波の回折緩衝を利用した消音換気部材。
【請求項１１】
通気ケース１の蓋体12がスライドしてケース内部を開放自在に形成されていることを特徴とする請求項１０記載の音波の回折緩衝を利用した消音換気部材。
【請求項１２】
通気ケース１の全長を延長可能な延長カバーＥを付設可能であることを特徴とする請求項１０または１１記載の音波の回折緩衝を利用した消音換気部材。
【請求項１３】
通気ケース１の少なくとも一部に発泡ゴム製の防振シート材を付設したことを特徴とする請求項１０〜１２の何れか一つに記載の音波の回折緩衝を利用した消音換気部材。
【請求項１４】
通気ケース１のエァパッセージＰの屈曲部Ｃが、略９０°に屈曲成形されていることを特徴とする請求項１〜１３の何れか一つに記載の音波の回折緩衝を利用した消音換気部材。
【発明の詳細な説明】
【技術分野】
【０００１】
本発明は、換気用資材の改良、更に詳しくは、外壁構造における壁間の少ないスペースや屋外側にも設置することができるとともに、外部から侵入してくる音の空気振動を、回折緩衝を巧みに利用することにより減衰せしめて確実に消音することができ、しかも、安価かつ軽量で製造も容易な音波の回折緩衝を利用した消音換気部材に関するものである。
【背景技術】
【０００２】
周知のとおり、住宅などの建造物においては、室内の換気をするために、換気扇などの装置や壁を貫通するパイプなどによる換気構造が設置されている。従来、かかる換気構造にあっては、パイプなどのダクトを外壁材の内部に配設するものが開示されている（例えば、特許文献１参照）。
【０００３】
しかしながら、かかる換気構造にあっては、単管パイプ部材が外壁を貫通しているだけの単純構造であるので、不可避的に騒音や雨水などが外部から室内に侵入してきてしまうという不満がある。
【特許文献１】特開2002− 81708号公報  （第２−３頁、図１）
【発明の開示】
【発明が解決しようとする課題】
【０００４】
本発明は、従来の換気用資材に、上記のような問題があったことに鑑みて為されたものであり、その目的とするところは、外壁構造における壁間の少ないスペースや屋外側にも設置することができるとともに、外部から侵入してくる音の空気振動を、回折緩衝を巧みに利用することにより減衰せしめて確実に消音することができ、しかも、安価かつ軽量で製造も容易な音波の回折緩衝を利用した消音換気部材を提供することにある。
【課題を解決するための手段】
【０００５】
本発明者が上記課題を解決するために採用した手段を添付図面を参照して説明すれば次のとおりである。
【０００６】
即ち、本発明は、建造物の外壁部に配設することによって、屋内から屋外へ換気可能な中空体であって、
第一端部13ａから第二端部13ｂに連通しており、かつ、少なくとも１カ所の屈曲部Ｃを有するエァパッセージＰが複数形成された通気ケース１と、
この通気ケース１の第一端部13ａおよび第二端部13ｂの各々に対し、一方側の通気口21ａと他方側の通気口21ｂとが通気ケース１の中の複数のエァパッセージＰを介し相互に連通された１対の換気端部２・２とから構成されており、
これら換気端部２・２における一対の通気口21ａ・21ｂとの間における内外の空気通流を自由にすると共に、屋外の騒音はエァパッセージＰの屈曲部Ｃで回折減衰されて消音可能にするという技術的手段を採用した。
【０００７】
また、本発明は、上記課題を解決するために、必要に応じて上記手段に加え、建造物の外壁構造に組み込むことによって、屋内と屋外とを連通換気せしめるダクトであって、
上端部13ａから下端部13ｂに連通しており、かつ、少なくとも１カ所の屈曲部Ｃを有するエァパッセージＰが複数形成された通気ケース１と、
この通気ケース１の上端部13ａおよび下端部13ｂの各々に対し、通気口21が互いに反対方向を向くように配設されて上側の通気口21ａと下側の通気口21ｂとが通気ケース１の中の複数のエァパッセージＰを介し相互に連通された１対の換気端部２・２とから構成されており、
これら換気端部２・２における上下の通気口21ａ・21ｂとの間における内外の空気通流を自由にすると共に、屋外の騒音はエァパッセージＰの屈曲部Ｃで回折減衰して消音可能にするという技術的手段を採用した。
【０００８】
また、本発明は、上記課題を解決するために、必要に応じて上記手段に加え、通気ケース１を、一方側の板面に当該板面の上辺13ａ′から下辺13ｂ′に向けて隔壁リブ15が並列的に列設され、かつ、これら各々の隔壁リブ15には上辺13ａ′から下辺13ｂ′に至る行程中には少なくとも１カ所の屈曲部Ｃ′が形成された板体11と、
この板体11の隔壁リブ側に対設面合されて当該板体との間に隔壁リブ15によって区分された複数のエァパッセージＰを形成せる蓋板12とによって形成するという技術的手段を採用した。
【０００９】
更にまた、本発明は、上記課題を解決するために、必要に応じて上記手段に加え、通気ケース１を左右一対の契合ケース片１ａ・１ｂとから構成し、当該ケース１における各々のエァパッセージＰは前記左右の契合ケース片１ａ・１ｂを突合わせ状態に連結された側辺部14ａ・14ｂを介して連通するという技術的手段を採用した。
【００１０】
この際、必要に応じて上記手段に加え、左右１対の契合ケース片１ａ・１ｂを、一方面の上辺13ａ′から側辺部14ａ′に向けて屈曲する隔壁リブ15が並列的に列設されている板体片11ａと、これと同時面の側辺部14ｂ′から下辺13ｂ′に向けて屈曲する隔壁リブ15が並列的に列設されている板体片11ｂと、これらの板体片11ａ・11ｂの隔壁リブ側に対設面合されて当該板体との間に隔壁リブ15で区分された複数のエァパッセージＰを形成している蓋板12とによって構成するという技術的手段を採用することも可能である。
【００１１】
更にまた、本発明は、上記課題を解決するために、必要に応じて上記手段に加え、通気ケース１と換気端部２・２とを一体成形するという技術的手段を採用した。
【００１２】
更にまた、本発明は、上記課題を解決するために、必要に応じて上記手段に加え、換気端部２・２を１対のキャップ部材２ａ・２ｂとして構成し、通気ケース１の上端開口部13ａおよび下端開口部13ｂの各々に対し、通気口21が互いに反対方向を向くように嵌着されて上側の通気口21ａと下側の通気口21ｂとが通気ケース１の中の複数のエァパッセージＰを介し相互に連通して構成するという技術的手段を採用した。
【００１３】
更にまた、本発明は、上記課題を解決するために、必要に応じて上記手段に加え、通気ケース１および換気端部２とを合成樹脂製にするという技術的手段を採用した。
【００１４】
更にまた、本発明は、上記課題を解決するために、必要に応じて上記手段に加え、エァパッセージＰを区分する隔壁リブ15を、中空ブロー成形により両壁面から凹設される凹み溝15ａ同士が対面合接されて形成された合成樹脂製の通気ケース１と、この通気ケース１の上端部13ａおよび下端部13ｂの各々に対し、通気口21が互いに反対方向を向くように上側の通気口21ａと下側の通気口21ｂとが通気ケース１の中の複数のエァパッセージＰを介し相互に連通された１対の換気端部２・２とを一体に構成するという技術的手段を採用した。
【００１５】
更にまた、本発明は、上記課題を解決するために、必要に応じて上記手段に加え、建造物の外壁構造における屋外側に設置することによって、屋内から屋外へ換気可能な中空ボックス体であって、
上端部13ａから下端部13ｂに連通しており、かつ、少なくとも１カ所の屈曲部Ｃを有するエァパッセージＰが複数形成された通気ケース１と、
この通気ケース１の上端部13ａおよび下端部13ｂの各々に対し、通気口21が配設されて上側の通気口21ａと下側の通気口21ｂとが通気ケース１の中の複数のエァパッセージＰを介し相互に連通された１対の換気端部２・２とから構成されており、
これら換気端部２・２における上下の通気口21ａ・21ｂとの間における内外の空気通流を自由にすると共に、屋外の騒音はエァパッセージＰの屈曲部Ｃで回折減衰されて消音可能にするという技術的手段を採用した。
【００１６】
更にまた、本発明は、上記課題を解決するために、必要に応じて上記手段に加え、通気ケース１の蓋体12をスライドさせてケース内部を開放自在に形成するという技術的手段を採用した。
【００１７】
更にまた、本発明は、上記課題を解決するために、必要に応じて上記手段に加え、通気ケース１の全長を延長可能な延長カバーＥを付設可能にするという技術的手段を採用した。
【００１８】
更にまた、本発明は、上記課題を解決するために、必要に応じて上記手段に加え、通気ケース１の少なくとも一部に発泡ゴム製の防振シート材を付設するという技術的手段を採用した。
【００１９】
更にまた、本発明は、上記課題を解決するために、必要に応じて上記手段に加え、通気ケース１のエァパッセージＰの屈曲部Ｃを、略９０°に屈曲成形するという技術的手段を採用した。
【発明の効果】
【００２０】
本発明の消音換気部材にあっては、通気ケースの板体の隔壁リブを並列的に列設してエァパッセージを形成したことにより、外部から侵入してくる音の空気振動を回折緩衝を巧みに利用することにより減衰せしめて確実に消音することができる。
【００２１】
本発明の消音換気部材をダクトとして外壁構造に組み込む場合にあっては、通気ケースが薄型であるので、外壁材の内部などの少ない設置スペースで良い。また、屋外側に設置する場合にあっては、既存の単管パイプに簡単に取り付けることができて外観もスッキリとしており、使い勝手も良いことから、産業上における利用価値は頗る高いと云える。
【発明を実施するための最良の形態】
【００２２】
本発明の実施形態を具体的に図示した図面に基づいて更に詳細に説明すると次のとおりである。
【００２３】
まず、本実施形態品の基本的構成について説明する。即ち、本実施形態品は、建造物の外壁部に配設することによって、屋内から屋外へ換気可能な中空体である。そして、第一端部13ａから第二端部13ｂに連通しており、かつ、少なくとも１カ所の屈曲部Ｃを有するエァパッセージＰが複数形成された通気ケース１と、この通気ケース１の第一端部13ａおよび第二端部13ｂの各々に対し、一方側の通気口21ａと他方側の通気口21ｂとが通気ケース１の中の複数のエァパッセージＰを介し相互に連通された１対の換気端部２・２とから構成されている。
【００２４】
そして、これら換気端部２・２における一対の通気口21ａ・21ｂとの間における内外の空気通流は自由であると共に、屋外の騒音はエァパッセージＰの屈曲部Ｃで回折減衰されて消音可能にすることによって、消音換気部材を構成したものである。上記の如き基本的構成を具備した具体的な実施形態について、以下に説明する。
【００２５】
『第１実施形態』
本発明の第１実施形態を図１から図３に基づいて説明する。本実施形態は、建造物の外壁構造に組み込むことによって、屋内と屋外とを連通換気せしめるダクトとして構成したものである。図中、符号１で指示するものは通気ケースであり、この通気ケース１には、上端部13ａから下端部13ｂに連通し、かつ、少なくとも１カ所の屈曲部Ｃを有するエァパッセージＰが複数形成されている。
【００２６】
また、符号２で指示するものは換気端部であり、この換気端部２は、前記通気ケース１の上端部13ａおよび下端部13ｂの各々に対して配設されており、かつ、通気口21を備えている。
【００２７】
しかして、本実施形態は、前述のとおり、建造物の外壁構造に組み込むことによって、屋内と屋外とを連通換気せしめるダクトであり、構成するにあっては、まず、前述のように、上端部13ａから下端部13ｂに連通しており、かつ、少なくとも１カ所の屈曲部Ｃを有するエァパッセージＰが複数形成された通気ケース１を構成する。
【００２８】
本実施形態では、前記通気ケース１を、一方側の板面に当該板面の上辺13ａ′から下辺13ｂ′に向けて隔壁リブ15を並列的に列設して、かつ、これら各々の隔壁リブ15には上辺13ａ′から下辺13ｂ′に至る行程中には少なくとも１カ所の屈曲部Ｃ′を形成した板体11と、この板体11の隔壁リブ側に対設面合されて当該板体との間に隔壁リブ15によって区分された複数のエァパッセージＰを形成せる蓋板12とによって構成する（図１参照）。
【００２９】
こうすることにより、これら板体11および蓋板12とを組み合わせて、誰でも簡単に組み立てることができるとともに、また、個別に各々の小型の金型を用いるだけで製造することができるので、非常に経済的である。
【００３０】
なお、本実施形態では、これら通気ケース１および換気端部２を合成樹脂材料により作製する。この合成樹脂材料としては、ポリエチレン（ＰＥ）やポリプロピレン（ＰＰ）、ポリエチレンテレフタレート（ＰＥＴ）などを採用することが可能である。
【００３１】
また、本実施形態では、通気ケース１のエァパッセージＰの屈曲部Ｃを、略９０°に屈曲成形することにより、回折効果をより促進することができる。
【００３２】
次いで、前記通気ケース１の上端部13ａおよび下端部13ｂの各々に対し、通気口21が互いに反対方向を向くように配設して、上側の通気口21ａと下側の通気口21ｂとが通気ケース１の中の複数のエァパッセージＰを介し相互に連通された１対の換気端部２・２を構成する。本実施形態では、通気ケース１と換気端部２・２とを一体に成形している。
【００３３】
このように構成すると、これら換気端部２・２における上下の通気口21ａ・21ｂとの間における内外の空気通流が自由になると共に、屋外の騒音はエァパッセージＰの屈曲部Ｃで回折減衰して消音することができるのである（図２参照）。また、通気ケース１自体も騒音・空気通流による振動エネルギーを減衰吸収せしめることができる。
【００３４】
なお、本実施形態では、図３に示したように、レジスターｒやフードｆを適宜取り付けることにより、消音効果を更に高めることも可能である。
【００３５】
このようにして、前記エァパッセージＰ内において、屋外からの侵入音および通気による空気振動を回折緩衝を利用して減衰せしめて消音できるとともに、通気口21を上側の通気孔21ａと下側の通気孔21ｂとに各々分けて相対位置を違えたことにより、従来の単管パイプ部材のように外部からの雨水などが風で吹き込んで室内に侵入してくるのを防止する効果も奏する。
【００３６】
『第２実施形態』
次に、本発明の第２実施形態を図４に基づいて説明する。本実施形態では、通気ケース１を左右一対の契合ケース片１ａ・１ｂとから構成し、当該ケース１における各々のエァパッセージＰは前記左右の契合ケース片１ａ・１ｂを突合わせ状態に連結した側辺部14ａ・14ｂを介して連通している。
【００３７】
こうすることにより、これら左右一対の契合ケース片１ａ・１ｂとによって、誰でも簡単に組み立てることができるとともに、また、個別に各々の小型の金型を用いるだけで製造することができるので、非常に経済的である。なお、本実施形態においても、通気ケース１と換気端部２・２とを一体に成形している。
【００３８】
『第３実施形態』
本発明の第３実施形態を図５に基づいて説明する。本実施形態においては、左右１対の契合ケース片１ａ・１ｂを、一方面の上辺13ａ′から側辺部14ａ′に向けて屈曲する隔壁リブ15が並列的に列設されている板体片11ａと、これと同時面の側辺部14ｂ′から下辺13ｂ′に向けて屈曲する隔壁リブ15が並列的に列設されている板体片11ｂと、これらの板体片11ａ・11ｂの隔壁リブ側に対設面合されて当該板体との間に隔壁リブ15で区分された複数のエァパッセージＰを形成している蓋板12とによって構成する。
【００３９】
こうすることにより、前記第１および第２実施形態と同様に、誰でも簡単に組み立てることができるとともに、また、個別に各々の小型の金型を用いるだけで製造することができるので、非常に経済的である。なお、本実施形態においても、通気ケース１と換気端部２・２とを一体に成形している。
【００４０】
『第４実施形態』
本発明の第４実施形態を図６および７に基づいて説明する。本実施形態では、換気端部２・２を１対のキャップ部材２ａ・２ｂとして構成し、通気ケース１の上端開口部13ａおよび下端開口部13ｂの各々に対し、通気口21が互いに反対方向を向くように嵌着されて上側の通気口21ａと下側の通気口21ｂとを通気ケース１の中の複数のエァパッセージＰを介し相互に連通して構成されている。
【００４１】
このように、キャップ部材２を嵌着自在にしたことにより、万一破損した場合でも、通気ケース１またはキャップ部材２の何れかのみを簡単に取り替えることができるので、非常に便利で経済的である。
【００４２】
なお、図７に示すものは、前述した第３実施形態と本実施形態とを複合的に組み合わせて構成したものであり、後述する実施例１に使用されたモデルである（以下、モデル品「タイプ１」という）。
【００４３】
『第５実施形態』
次に、本発明の第５実施形態を図８および図９に基づいて説明する。本実施形態では、エァパッセージＰを区分する隔壁リブ15を、中空ブロー成形により両壁面から凹設される凹み溝15ａ同士が対面合接されて形成された合成樹脂製の通気ケース１と、この通気ケース１の上端部13ａおよび下端部13ｂの各々に対し、通気口21が互いに反対方向を向くように上側の通気口21ａと下側の通気口21ｂとが通気ケース１の中の複数のエァパッセージＰを介し相互に連通された１対の換気端部２・２とを一体に構成する。
【００４４】
この中空ブロー成形は常法に従い、押し出されたパリソンを金型で挟み込んで、両壁面から凹設される凹み溝15ａ同士を対面合接し、適宜、内部に空気を吹き込むことによって隔壁リブ15を成形する（図９参照）。
【００４５】
こうすることにより、組み立て作業を省略することができるとともに、少ない原料で済むので、経済的にも有利であるとともに、製作が容易なので、大量生産にも非常に適しており、低コスト化を実現することができる。
【００４６】
『第６実施形態』
次に、本発明の第６実施形態を図１０から図１４に基づいて説明する。本実施形態にあっては、建造物の外壁構造における屋外側に設置することによって、屋内から屋外へ換気可能な中空ボックス体に構成した点に特徴を有する。
【００４７】
まず、本実施形態では、図１０に示すように、上端部13ａから下端部13ｂに連通しており、かつ、少なくとも１カ所の屈曲部Ｃを有するエァパッセージＰが複数形成された通気ケース１と、この通気ケース１の上端部13ａおよび下端部13ｂの各々に対し、通気口21が配設されて上側の通気口21ａと下側の通気口21ｂとが通気ケース１の中の複数のエァパッセージＰを介し相互に連通された１対の換気端部２・２とから構成されている。本実施形態品は、後述する実施例２に使用されたモデルであり、プラスチック製のものと金属（ステンレス）製のものとを作製した（モデル品「タイプ２」という）。
【００４８】
本実施形態品においても、前述の実施形態と同様に、これら換気端部２・２における上下の通気口21ａ・21ｂとの間における内外の空気通流は自由であると共に、屋外の騒音はエァパッセージＰの屈曲部Ｃで回折減衰されて消音可能である。
【００４９】
本実施形態品によれば、図１１および図１２に示すように、既存の単管パイプに簡単に取り付けることができ、外観もスッキリとしており、使い勝手も非常に良い。
【００５０】
なお、本実施形態では、図１３に示すように、通気ケース１の蓋体12がスライドしてケース内部を開放自在に形成することもできる。このように構成することにより、簡単に開けることができ、内部の清掃が容易となる。
【００５１】
また、図１４に示すように、通気ケース１の全長を延長可能な延長カバーＥを付設可能であり、現場の施工条件や必要な消音レベルなどに応じて、簡単にサイズを変更することができる。
【００５２】
更にまた、通気ケース１の少なくとも一部に発泡ゴム製の防振シート材を付設することができる。この発泡ゴムとしては、例えば、ＥＰＤＭゴム（エチレン、プロピレン、ジエンの３元共重合体）を主成分とする加硫ゴム系のものを採用することができ、本実施形態では、通気ケース１の内側面に付設することによって、隔壁リブ15の振動を防止することができる。
【実施例１】
【００５３】
『実験データ』
本実施形態品（第４実施形態に示したモデル品：「タイプ１」とする）の消音効果を立証すべく、従来品と当該モデル品とを比較するための実験により測定したデータを以下に示す（実験機関：高知県立森林技術センター）。
【００５４】
〔実験条件〕
音響透過損失  JIS A 1416「実験室における建築部材の空気音遮断性能の測定方法」
試験室：タイプII試験室、測定点：音源側、受音側各５点
試験体の全体寸法は、厚１４５×幅１０６４×高２１００であり、幅１０６４×高７４６と幅１０６４×高１３５４の２枚を縦に重ねた構成である。
【００５５】
（従来品）レジスターおよびフードを設置したφ１００mmの単管パイプ
周波数(Hz)      平均音圧レベル(dB)    補正項(dB)    透過損失Ｒ(dB)
音源側  受音側  レベル差              1/3 oct.  1/1 oct.
１００      71.8    46.8    25.1      -4.2        20.9
１２５      69.1    39.6    29.6      -3.4        26.2      24.2
１６０      73.4    38.5    34.9      -3.9        31.0
２００      73.4    36.7    36.7      -4.4        32.3
２５０      75.2    43.7    31.5      -4.1        27.4      26.0
３１５      74.5    47.2    27.3      -4.4        22.9
４００      76.4    49.6    26.8      -4.1        22.7
５００      77.1    47.5    29.6      -3.7        25.9      24.0
６３０      79.0    51.7    27.3      -3.3        24.0
８００      77.6    52.6    25.0      -3.3        21.7
１０００    80.8    50.9    29.9      -3.3        26.6      24.5
１２５０    81.1    50.1    31.0      -3.3        27.7
１６００    79.7    39.3    40.4      -3.4        37.0
２０００    78.5    41.8    36.8      -3.5        33.3      34.9
２５００    80.3    41.2    39.1      -3.7        35.4
３１５０    81.4    42.2    39.1      -3.9        35.2
４０００    83.0    43.7    39.4      -4.1        35.3      35.5
５０００    81.6    41.1    40.5      -4.5        36.0
【００５６】
（モデル品「タイプ１」）レジスターおよびフード無し
周波数(Hz)      平均音圧レベル(dB)    補正項(dB)    透過損失Ｒ(dB)
音源側  受音側  レベル差              1/3 oct.  1/1 oct.
１００      71.7    43.9    27.8      -4.9        22.9
１２５      69.7    33.8    36.0      -3.8        32.2      26.3
１６０      73.3    39.9    33.4      -4.4        29.0
２００      73.7    38.5    35.2      -4.8        30.4
２５０      75.4    37.7    37.7      -4.0        33.7      32.2
３１５      74.3    36.7    37.6      -4.3        33.3
４００      76.5    35.0    41.5      -4.3        37.2
５００      77.4    38.6    38.8      -3.7        35.1      35.1
６３０      79.4    42.4    36.9      -3.4        33.5
８００      78.0    41.4    36.5      -3.4        33.1
１０００    81.0    45.2    35.8      -3.3        32.5      33.5
１２５０    81.1    42.6    38.4      -3.2        35.2
１６００    79.7    45.3    34.5      -3.5        31.0
２０００    78.7    39.6    39.1      -3.6        35.5      33.9
２５００    80.4    38.7    41.7      -3.7        38.0
３１５０    81.4    37.5    44.0      -3.9        40.1
４０００    83.2    34.9    48.3      -4.1        44.2      42.2
５０００    81.7    33.7    48.0      -4.5        43.5
【００５７】
〔考察〕
上記結果より、「タイプ１」のモデル品にあっては、従来品と比較して透過損失Ｒの値が大きいことから、消音効果が高いことがわかる。また、モデル品は従来品にレジスターおよびフードを取り付けたものと比較しても、高い消音効果を得ることができたので、モデル品においても適宜レジスターおよびフードを取り付けることにより、消音効果をより高めることが可能である。
【実施例２】
【００５８】
『実験データ』
次に、本実施形態品（第６実施形態に示したモデル品：「タイプ２」とする）の消音効果を実験により測定したデータを以下に示す（実験機関：福井県工業技術センター）。なお、このタイプ２については、プラスチック製のものと金属（ステンレス）製のものについて測定した。
【００５９】
〔実験条件〕
「音源側／残響室、受音側／無響室による音響透過損失試験」
試験室：音響特性評価室（メーカー：松下インターテクノ(株)、型式：ＭＥ−ＡＮ７２７０）、測定点：音源側72°５点／残響室、受音側16点／アコースティックインテンシティ法にて測定／（ＡＩ）無響室
【００６０】
（従来品）フードを設置したφ１５０mmの単管パイプ
周波数(Hz)  平均音圧レベル(dB)  ＡＩ透過損失(dB)
音源側    受音側
１００      89.43     68.61       16.99
１２５      92.90     66.85       21.84
１６０      96.82     66.07       26.17
２００      97.76     72.60       20.30
２５０      96.50     72.71       18.69
３１５      95.86     79.19       11.35
４００      95.74     77.30       12.94
５００      94.53     70.82       18.08
６３０      92.48     70.96       15.77
８００      93.25     69.22       18.18
１０００    94.01     66.01       22.07
１２５０    91.99     58.83       27.18
１６００    91.91     63.52       22.36
２０００    88.72     60.14       22.51
２５００    90.14     60.71       23.32
３１５０    89.28     58.66       24.49
４０００    88.45     58.37       23.93
５０００    88.94     57.81       24.96
６３００    88.11     55.12       26.81
８０００    86.53     52.35       27.98
【００６１】
（モデル品「タイプ２」）プラスチック製
周波数(Hz)  平均音圧レベル(dB)  ＡＩ透過損失(dB)
音源側    受音側
１００      88.96     71.53       13.60
１２５      93.93     64.56       25.16
１６０      96.77     66.69       25.50
２００      97.28     74.23       18.19
２５０      95.81     73.41       17.30
３１５      95.67     69.65       20.72
４００      95.40     68.99       20.91
５００      93.88     65.56       22.69
６３０      92.35     62.53       24.07
８００      93.13     60.23       27.05
１０００    94.01     59.04       28.78
１２５０    93.74     61.64       24.33
１６００    91.33     61.85       23.71
２０００    88.31     57.03       25.21
２５００    89.79     52.06       31.62
３１５０    89.37     49.64       33.60
４０００    88.35     48.33       33.86
５０００    88.86     48.56       34.13
６３００    87.84     47.96       33.70
８０００    86.18     44.20       35.79
【００６２】
（モデル品「タイプ２」）金属製
周波数(Hz)  平均音圧レベル(dB)  ＡＩ透過損失(dB)
音源側    受音側
１００      90.88     66.36       20.69
１２５      93.56     64.52       24.83
１６０      97.78     65.32       27.88
２００      97.22     71.14       21.22
２５０      96.18     73.66       17.41
３１５      95.57     70.63       19.62
４００      95.66     71.32       18.85
５００      94.27     63.15       25.48
６３０      92.37     61.68       24.94
８００      92.98     60.24       26.89
１０００    93.94     59.96       28.05
１２５０    91.88     61.79       24.10
１６００    91.45     60.01       25.40
２０００    88.25     53.37       28.81
２５００    89.70     47.09       36.50
３１５０    89.37     46.53       36.71
４０００    88.36     42.51       39.70
５０００    88.96     39.37       43.42
６３００    87.97     36.71       45.08
８０００    86.53     32.75       47.58
【００６３】
〔考察〕
上記の結果より、「タイプ２」（プラスチック製および金属製）のモデル品にあっても、従来品と比較してＡＩ透過損失の値が大きいことから、消音効果が高いことがわかる。また、上記のように、このタイプは、形状が同一で、異なる材質で作製されているが、成形コストや耐久性の必要に応じて、何れの使用材料を選択した場合であっても、良好な消音効果を得ることができる。
【００６４】
本発明は、概ね上記のように構成されるが、本発明は図示の実施形態に限定されるものでは決してなく、「特許請求の範囲」の記載内において種々の変更が可能であって、例えば、通気ケース１の隔壁リブ15は、略９０°に屈曲成形したものに限らず、消音効果が認められるものであれば、他の形状のものを採用することができる。
【００６５】
また、通気ケース１の第一端部13ａおよび第二端部13ｂは、それぞれ上下位置関係にように配設されることに限らず、水平方向や斜め方向の相対位置関係になるように配設することも可能である。更にまた、通気ケース１および／または換気端部２の使用材料は合成樹脂に限らず、制振鋼板などを採用することもでき、これら何れのものも本発明の技術的範囲に属する。
【図面の簡単な説明】
【００６６】
【図１】本発明の第１実施形態品を表わす分解斜視図である。
【図２】本発明の第１実施形態品を表わす全体斜視図である。
【図３】本発明の実施形態品の使用状態を表わす側面図である。
【図４】本発明の第２実施形態品を表わす分解斜視図である。
【図５】本発明の第３実施形態品を表わす分解斜視図である。
【図６】本発明の第４実施形態品を表わす分解斜視図である。
【図７】本発明の第４実施形態品（モデル品「タイプ１」）を表わす分解斜視図である。
【図８】本発明の第５実施形態品を表わす全体斜視図である。
【図９】本発明の第５実施形態品を表わす断面図である。
【図１０】本発明の第６実施形態品（モデル品「タイプ２」）を表わす全体斜視図である。
【図１１】本発明の第６実施形態品の使用状態を表わす側面図である。
【図１２】本発明の第６実施形態品の使用状態を表わす斜視図である。
【図１３】本発明の第６実施形態品を表わす分解斜視図である。
【図１４】本発明の第６実施形態品の変形例を表わす斜視図である。
【符号の説明】
【００６７】
１    通気ケース
１ａ・１ｂ  契合ケース片
11    板体
11ａ・11ｂ  板体片
12    蓋体
13ａ  上端部（上端開口部）
13ａ′  上辺
13ｂ  下端部（下端開口部）
13ｂ′  下辺
14    側辺部
14ａ・14ｂ  側辺部
15    隔壁リブ
15ａ  凹み溝
２    換気端部
21    通気口
21ａ  （上側の）通気口
21ｂ  （下側の）通気口
Ｐ    エァパッセージ
Ｃ    屈曲部
Ｃ′  屈曲部
ｆ    フード
ｒ    レジスター
Ｅ    延長カバー
【図１】
2006200882.tif 000003
【図２】
2006200882.tif 000004
【図３】
2006200882.tif 000005
【図４】
2006200882.tif 000006
【図５】
2006200882.tif 000007
【図６】
2006200882.tif 000008
【図７】
2006200882.tif 000009
【図８】
2006200882.tif 000010
【図９】
2006200882.tif 000011
【図１０】
2006200882.tif 000012
【図１１】
2006200882.tif 000013
【図１２】
2006200882.tif 000014
【図１３】
2006200882.tif 000015
【図１４】
2006200882.tif 000016